(57)【要約】【課題】  ワークに対する切粉の飛散付着を防止したワーク端縁の切断とスクラップ切断を可能にしたカム式プレス型のスクラップカッタ装置を提供する。【解決手段】  下型１にはワークＷの端縁を切断するための下トリム刃３を備え、上型２には前記下型１に載置されたワークＷを押さえるパッド５と前記下トリム刃３とによってワークＷの端縁を切断するための上トリム刃７を有している受動カム６とを備えたカム式プレス型において、前記下型１のスクラップＳの排出口部にスクラップＳを受け止める固定スクラップカッタ９と、スプリング１２により常に上昇方向に付勢されて昇降動可能に設けられ前記受動カム６によって押動し前記固定スクラップカッタ９とにより前記スクラップＳを細かく切断するための可動スクラップカッタ１１とを設けた。【選択図】        図１
2005205550.tif 000002
【特許請求の範囲】
【請求項１】
固定の下型と、この下型に対して下降動及び上昇動する可動の上型とからなり、前記下型にはワークの端縁を切断するための下トリム刃を備えており、前記上型には前記下型に載置されたワークを押さえるパッドと前記下トリム刃とによってワークの端縁を切断するための上トリム刃を有している受動カムとを備えたカム式プレス型において、前記下型のスクラップの排出口部にスクラップを受け止める固定スクラップカッタと、スプリングにより常に上昇方向に付勢されて昇降動可能に設けられ前記受動カムによって押動し前記固定スクラップカッタとにより前記スクラップを細かく切断するための可動スクラップカッタとを設けたことを特徴とするカム式プレス型のスクラップカッタ装置。
【発明の詳細な説明】
【技術分野】
【０００１】
本発明は、プレス成形したワーク端縁をトリミングしたスクラップをさらに細かく切断処理するようにしたカム式プレス型のスクラップカッタ装置に関するものである。
【背景技術】
【０００２】
従来、図５で示すように、固定の下型１と、この下型１に対して下降動及び上昇動する可動の上型２とからなり、前記下型１にはワークの端縁を切断するための下トリム刃３と、この下トリム刃３の下部に下スクラップカッタ２０とを備えており、前記上型２には前記下型１に載置されたワークを押さえるパッド５と前記下トリム刃３とによってワーク端縁を切断するための上トリム刃７と前記下スクラップカッタ２０とによってスクラップを切断する上スクラップカッタ２１を有している受動カム６とを備えたカム式プレス型を用いている。
【０００３】
このものは、上型２の下死点で下トリム刃３と上トリム刃７とによりワークの端縁を切断し、これと同時に前記切断されたスクラップを下スクラップカッタ２０と上スクラップカッタ２１とで切断する。つまり、ワークの端縁の切断とスクラップの切断は両者近接した部位で２段切りを行っている。そのため、切断時に発生する切粉がワークに飛散付着し、この切粉によりプレス成形に不都合を生じている。
【特許文献１】特開平８−１３２１５０公報
【特許文献１】特開２００３−８８９２３公報
【発明の開示】
【発明が解決しようとする課題】
【０００４】
本発明の目的は、ワークに対する切粉の飛散付着を防止したワーク端縁の切断とスクラップ切断を可能にしたカム式プレス型のスクラップカッタ装置を提供することである。
【課題を解決するための手段】
【０００５】
上記の目的を達成するための本発明は、請求項１に記載の通り、固定の下型と、この下型に対して下降動及び上昇動する可動の上型とからなり、前記下型にはワークの端縁を切断するための下トリム刃を備えており、前記上型には前記下型に載置されたワークを押さえるパッドと前記下トリム刃とによってワークの端縁を切断するための上トリム刃を有している受動カムとを備えたカム式プレス型において、前記下型のスクラップの排出口部にスクラップを受け止める固定スクラップカッタと、スプリングにより常に上昇方向に付勢されて昇降動可能に設けられ前記受動カムによって押動し前記固定スクラップカッタとにより前記スクラップを細かく切断するための可動スクラップカッタとを設けたことを特徴とするものである。
【発明の効果】
【０００６】
本発明によると、スクラップの切断をワーク端縁を切断する部位から離れているスクラップの排出口部で行うためワーク近傍における切粉の発生を低減しワークに対する切粉の飛散付着を防止すると共に、上型側の受動カムにてスクラップを切断するための可動スクラップカッタを作動するようにした構造によりカム式プレス型にスクラップを切断する２段切りカッタを設置可能にした効果を有している。
【発明を実施するための最良の形態】
【０００７】
以下本発明を実施するための最良の形態について図面に基づいて説明する。図１及び図２において、１は固定の下型であり、２は前記下型１に対して下降及び上昇する上型である。前記下型１にはワークＷの端縁を切断するための下トリム刃３と切断したスクラップＳを型外に排出するためのシュート４とがが設けられている。
【０００８】
一方、前記上型２には下型１上にワークＷを押さえるためのパッド６と、前記下トリム刃３とによってワークＷの端縁を切断するための上トリム刃７を有している受動カム６とが設けられている。この受動カム６は上型２に形成されているカム面８と対接しており、上型２の下降により受動カム６を下トリム刃３に向かって前進作動する。
【０００９】
本発明は上記のカム式プレス型において、前記下型１に前記シュートを介して落下するスクラップＳの排出口部にスクラップＳ受け止めるストッパ１０を備えた固定スクラップカッタ９と、スプリング１２により常に上昇方向に付勢されて昇降動可能に設けられ前記受動カム６によって押動し前記固定スクラップカッタ１０とにより前記スクラップＳを細かく切断するための可動スクラップカッタ１１とを設けたものである。尚、符号１３はスプリング１２により常に上昇方向に付勢されている可動スクラップカッタ１１の上昇端を規制するためのストッパである。
【００１０】
次ぎに本発明の動作について説明する。図１は上型２の下降途中である。この時、図３でも示すように前回のプレス加工でワークＷの端縁を下トリム刃３と上トリム刃７で切断したスクラップＳがスクラップＳの排出口部の固定スクラップカッタ９上にストッパ１０で規制されて載置されている。
【００１１】
上型２の下死点の直前において、受動カム６が可動スクラップカッタ１１をスプリング１２に抗して下降作動し固定スクラップカッタ９上のスクラップＳを可動スクラップカッタ１１と固定スクラップカッタ９とで図４で示すように細かく切断して型外のスクラップホールに排出する。
【００１２】
その後、上型２の下死点において図２で示すように、受動カム６がカム面８の傾斜面によって下トリム刃３に向かって前進作動し、受動カム６の上トリム刃７と下型１側の下トリム刃３とによりワークＷの端縁を切断する。この切断されたスクラップＳはシュート４上に落下して固定スクラップカッタ９上にストッパ１０で規制されて載置され、次回の上型２の下降による切断まで待機するのである。
【００１３】
このように本発明では、受動カム６の上トリム刃７と下型１側の下トリム刃３とによりワークＷの端縁を切断したスクラップＳをワークＷ端縁を切断する部位から離れているスクラップＳの排出口部で行うためワークＷ近傍における切粉の発生を低減しワークＷに対する切粉の飛散付着を防止し、切粉を除去などするためのプレスラインを停止することがなくなり稼働率を向上することができると共に、切粉の付着による傷等のワークＷの手直し工数を低減することができるのである。
【００１４】
また、上型１側の受動カム６にてスクラップＳをワークＷ端縁を切断する部位から離れているスクラップＳの排出口部で切断するための可動スクラップカッタ１１を作動するようにした構造によりカム式プレス型にスクラップを切断する２段切りカッタを設置可能とするものである。
【図面の簡単な説明】
【００１５】
【図１】本発明装置の上型の下降途中の状態を示す断面図
【図２】本発明装置の上型の下死点の状態を示す断面図
【図３】図１のＡ断面図
【図４】図２のＢ断面図
【図５】従来のカム式プレス型の断面図
【符号の説明】
【００１６】
１    下型
２    上型
３    下トリム刃
４    シュート
５    パッド
６    受動カム
７    上トリム刃
８    カム面
９    固定スクラップカッタ
１０    ストッパ
１１    可動スクラップカッタ
１２    スプリング
１３    ストッパ
【図１】
2005205550.tif 000003
【図２】
2005205550.tif 000004
【図３】
2005205550.tif 000005
【図４】
2005205550.tif 000006
【図５】
2005205550.tif 000007